(57)【要約】      （修正有）【課題】検体分析装置から離れた位置からでも検体分析装置の状態を光によって報知し、かつ検体分析装置にユーザを誘導できる検体分析装置の状態報知方法、検体分析システムおよび検体分析装置を実現する。【解決手段】検体を分析する検体分析装置１００の状態を検知する検知工程と、検知工程において異常状態を検知した場合、報知装置３００によって、検体分析装置１００の上方へ光を照射する照射工程と、を含む、検体分析装置の状態報知方法。【選択図】図２
2020094844.tif 000002
【特許請求の範囲】
【請求項１】
検体を分析する検体分析装置の状態を検知する検知工程と、
前記検知工程に応じて、上方へ光を照射する照射工程と、を含む、検体分析装置の状態報知方法。
【請求項２】
前記検知工程において、前記検体分析装置の異常状態を検知した場合、
前記照射工程において、上方へ光を照射する、請求項１に記載の検体分析装置の状態報知方法。
【請求項３】
前記異常状態は、前記検体分析装置が正常に動作していない状態である、請求項２に記載の検体分析装置の状態報知方法。
【請求項４】
前記検体分析装置の異常状態として、検体の分析に使用する試薬が所定の残量以下になったことを検知した場合、
前記照射工程において、上方へ光を照射する、請求項２または３に記載の検体分析装置の状態報知方法。
【請求項５】
光の照射と非照射を切り替える切り替え工程をさらに含み、
前記検知工程において、前記検体分析装置の異常状態を検知しなかった場合、
前記切り替え工程において、光の非照射に切り替える、請求項１から４のいずれか１項に記載の検体分析装置の状態報知方法。
【請求項６】
側方から光を発光する発光工程をさらに含み、
前記切り替え工程において、光の非照射に切り替えた場合、
前記発光工程において、側方から光を発光する、請求項５に記載の検体分析装置の状態報知方法。
【請求項７】
前記照射工程において、照射する光の色を変更する、請求項１から６のいずれか１項に記載の検体分析装置の状態報知方法。
【請求項８】
前記発光工程において、光の発光色を変更する、請求項６に記載の検体分析装置の状態報知方法。
【請求項９】
検体を分析する検体分析装置と、
上方へ光を照射する照射部と、前記検体分析装置の状態に応じて光の照射状態を切り替えるように前記照射部を制御する制御部とを含み、前記検体分析装置に設置される報知装置と、を備える検体分析システム。
【請求項１０】
前記照射部は、光を上方へ照射するための光学系を有する、請求項９に記載の検体分析システム。
【請求項１１】
前記報知装置は、前記光学系を収容する筐体を含み、
前記筐体は、光を上方へ照射するための照射窓を上面に有する、請求項１０に記載の検体分析システム。
【請求項１２】
前記筐体は、前記照射窓から照射される光の色を変更するカラーフィルタを交換可能に保持する、請求項１１に記載の検体分析システム。
【請求項１３】
前記制御部は、光の照射と非照射を切り替えるように前記照射部を制御する、請求項９から１２のいずれか一項に記載の検体分析システム。
【請求項１４】
前記制御部は、前記検体分析装置が異常状態の場合、光を照射させるように前記照射部を制御する、請求項９から１３のいずれか１項に記載の検体分析システム。
【請求項１５】
前記検体分析装置は、検体の分析に使用する試薬の残量を検知するセンサを含み、
前記異常状態は、前記試薬が所定の残量以下になったことを前記センサによって検知した場合である、請求項１４に記載の検体分析システム。
【請求項１６】
前記報知装置は、前記筐体の側面に設けられた発光部を含み、
前記制御部は、前記検体分析装置の状態に応じて、光の発光状態を切り替えるように前記発光部を制御する、請求項１１または１２に記載の検体分析システム。
【請求項１７】
前記制御部は、前記検体分析装置が正常状態の場合、光を照射させないように前記照射部を制御し、光を発光させるように前記発光部を制御する、請求項１６に記載の検体分析システム。
【請求項１８】
前記正常状態は、前記検体分析装置が正常に動作している状態である、請求項１７に記載の検体分析システム。
【請求項１９】
前記制御部は、光の発光色を変更するように前記発光部を制御する、請求項１６から１８のいずれか１項に記載の検体分析システム。
【請求項２０】
前記検体分析装置の状態に応じて、制御信号を生成する情報処理装置をさらに備え、
前記制御部は、前記情報処理装置が生成した前記制御信号を受信し、前記制御信号に基づいて、前記照射部および前記発光部を制御する、請求項１６から１９のいずれか１項に記載の検体分析システム。
【請求項２１】
前記報知装置は、前記検体分析装置と分離して設置可能である、請求項９から２０のいずれか１項に記載の検体分析システム。
【発明の詳細な説明】
【技術分野】
【０００１】
本発明は、検体分析装置の状態に応じた光を出力する検体分析装置の状態報知方法および検体分析システムに関する。
【背景技術】
【０００２】
従来、検体を分析する検体分析装置では、分析に使用する試薬がなくなった場合や通信異常が発生した場合のエラーや試薬の注入口等を含めた装置のクリーニングを推奨する警告といった、種々のイベントが発生し得る。このような検体分析装置について、発生したイベントに応じた光を出力することによって周囲のユーザに対して報知を行い、対応を促す技術が知られている。
【０００３】
特許文献１には、検体分析装置の上部に設置された警告灯が、検体分析装置の状態に基づいて発光する技術が開示されている。この技術によれば、ユーザは警告灯を確認することで検体分析装置の状態を把握し、把握した内容に応じて必要な対応を実施することができる。
【先行技術文献】
【特許文献】
【０００４】
【特許文献１】特開２０１６−６１７４７号公報
【発明の概要】
【発明が解決しようとする課題】
【０００５】
上述したように、特許文献１に記載の技術を適用した検体分析装置では、装置の上部に設置された警告灯から出力される光をユーザが確認することによって、検体分析装置の状態を把握することができる。そして、ユーザは自身が把握した検体分析装置の状態に基づいて、例えば試薬の補充といった必要な対応を行うことができる。
【０００６】
しかしながら、警告灯の出力する光を確認できるような位置に、必ずしもユーザがいるとは限らない。例えば、検体分析装置において緊急で対応する必要があるエラーが発生し、警告灯がエラーを示す光を出力した場合であっても、ユーザが検体分析装置の近傍にいない場合、ユーザはエラーを把握し、必要な対応を行うことができない。
【０００７】
ここで、図１０を参照して、従来技術における問題点について説明する。図１０は従来技術における問題点の概要を示す模式図である。
【０００８】
図示の例では、特許文献１に記載の検体分析装置と同様の、上部に警告灯６００が設置された検体分析装置５００が複数台、所定の空間に設置されている。ここで、個々の警告灯６００は、接続先である個々の検体分析装置５００の状態に応じた光で発光している。また、個々の検体分析装置５００の大きさは異なっており、検体分析装置５００以外の機器類も同一の空間内に設置されているものとする。さらに、ユーザは個々の検体分析装置５００のそれぞれから離れた位置にいるものとする。
【０００９】
例えば、ユーザと特定の検体分析装置５００との間に、図示の例では半透明の直方体として示されているような、検体分析装置５００より大きな別の装置等が配置されているものとする。このとき、この装置等を挟んでユーザの反対側に位置する特定の検体分析装置５００に設置された警告灯６００の光を、ユーザは視認することができない。ユーザは特定の検体分析装置５００の状態を現在の位置からは把握できないので、特定の検体分析装置５００の近傍まで移動する必要がある。
【００１０】
複数台の検体分析装置５００の状態について、装置の近傍に移動することなくユーザが把握する別の手段として、例えば監視室等に設置されたディスプレイに、個々の検体分析装置５００から通信等の手段によって取得した情報を一覧形式で表示する技術も知られている。特定の検体分析装置５００においてエラー等が検出されると、ディスプレイに表示されている特定の検体分析装置５００を示す文字列を点滅させる等の技術を用いれば、ユーザは検体分析装置５００の近傍に移動することなく、その状態を把握することができる。
【００１１】
しかしながら、検体分析装置５００において試薬切れ等のエラーが発生した場合、エラーを解消するためにはユーザが検体分析装置５００の近傍まで移動し、試薬の補充等の作業を行う必要がある。ディスプレイに一覧形式で表示させる従来技術では、エラーが発生した検体分析装置５００の実際の位置をユーザが把握することができない。ユーザは、例えばディスプレイからエラーが発生した検体分析装置５００を把握した後、検体分析装置５００の実際の配置位置について、空間の見取り図等の別の情報を参照してはじめて、検体分析装置５００の近傍まで移動することができる。
【００１２】
本発明は、前記の問題に鑑みてなされたものであり、その目的は、検体分析装置から離れた位置からでも検体分析装置の状態を光によって報知し、かつ検体分析装置にユーザを誘導できる検体分析装置の状態報知方法、検体分析システムおよび検体分析装置を実現することにある。
【課題を解決するための手段】
【００１３】
前記の課題を解決するために、本発明の一態様に係る状態報知方法は、検体を分析する検体分析装置（１００）の状態を検知する検知工程と、検知工程に応じて、上方へ光を照射する照射工程と、を含む。
【００１４】
前記の構成によれば、状態報知方法によって、検体分析装置（１００）の状態に応じて上方へ光を照射することができる。これにより、ユーザは上方に位置する天井等を照らし出す光を視認するだけで検体分析装置（１００）の状態を把握することができる。また、天井等を照らし出す光に向かってユーザを移動させることにより、ユーザを検体分析装置（１００）に誘導することができる。したがって、検体分析装置（１００）から離れた位置からでも検体分析装置（１００）の状態を光によって報知し、かつ検体分析装置（１００）にユーザを誘導できる状態報知方法を実現することができる。
【００１５】
本発明の別の態様に係る状態報知方法では、検知工程において、検体分析装置（１００）の異常状態を検知した場合、照射工程において、上方へ光を照射する。
【００１６】
前記の構成によれば、状態報知方法によって、検体分析装置（１００）が異常状態であった場合に上方へ光を照射することができる。これにより、例えばユーザは検体分析装置（１００）の異常状態が発生していることを、天井を照らし出す光から把握することができる。
【００１７】
本発明の別の態様に係る状態報知方法では、異常状態は、検体分析装置（１００）が正常に動作していない状態である。
【００１８】
前記の構成によれば、状態報知方法によって、検体分析装置（１００）が正常に動作していない場合に上方へ光を照射することができる。これにより、検体分析装置（１００）が正常に動作していないことを確実に報知することができる。
【００１９】
本発明の別の態様に係る状態報知方法では、検体分析装置（１００）の異常状態として、検体の分析に使用する試薬が所定の残量以下になったことを検知した場合、照射工程において、上方へ光を照射する。
【００２０】
前記の構成によれば、状態報知方法によって、検体分析装置（１００）が検体の分析に使用する試薬が少ない場合に上方へ光を照射することができる。これにより、例えば試薬が完全になくなる前に、ユーザに試薬の補充を促すことができる。
【００２１】
本発明の別の態様に係る状態報知方法では、光の照射と非照射を切り替える切り替え工程をさらに含み、検知工程において、検体分析装置（１００）の異常状態を検知しなかった場合、切り替え工程において、光の非照射に切り替える。
【００２２】
前記の構成によれば、状態報知方法によって、検体分析装置（１００）の異常状態を検知しなかった場合は上方へ向けた光を非照射とすることができる。これにより、例えばユーザは天井に光が照射されていない位置に配置されている検体分析装置（１００）が正常に動作しているとみなすことができる。
【００２３】
本発明の別の態様に係る状態報知方法では、側方から光を発光する発光工程をさらに含み、切り替え工程において、光の非照射に切り替えた場合、発光工程において、側方から光を発光する。
【００２４】
前記の構成によれば、状態報知方法によって、検体分析装置（１００）の異常状態を検知しなかった場合は上方へ向けた光を非照射とするとともに、側方から光を発光することができる。これにより、例えばユーザは上方への光の照射および側方における発光の有無を確認するだけで、検体分析装置（１００）が正常に動作しているか否かを把握することができる。
【００２５】
本発明の別の態様に係る状態報知方法では、照射工程において、照射する光の色を変更する。
【００２６】
前記の構成によれば、状態報知方法において、検体分析装置（１００）の状態に応じて上方に照射する光の色を変更することができる。これにより、例えば検体分析装置（１００）の重要度に応じて異なる色の光を照射するように設定し、天井を確認したときに重要度の高い色の光が照射されている位置の近傍に配置されている検体分析装置（１００）をユーザに優先的に確認させることができる。
【００２７】
本発明の別の態様に係る状態報知方法では、発光工程において、光の発光色を変更する。
【００２８】
前記の構成によれば、状態報知方法において、側方から発光する光の色を変更することができる。これにより、例えば側方から発光する光の色を検体分析装置（１００）の状態に応じて異ならせて、検体分析装置（１００）の近傍に位置するユーザが側方の発光色に応じた対応を実施することができる。
【００２９】
前記の課題を解決するために、本発明のさらに別の態様に係る検体分析システム（１）では、検体を分析する検体分析装置（１００）と、上方へ光を照射する照射部（３３０）と、検体分析装置（１００）の状態に応じて光の照射状態を切り替えるように照射部（３３０）を制御する制御部（３２０）とを含み、検体分析装置（１００）に設置される報知装置（３００）と、を備える。
【００３０】
前記の構成によれば、検体分析システム（１）は検体分析装置（１００）の状態に応じて報知装置（３００）の照射部（３３０）が上方へ照射する光の照射状態を制御することができる。したがって、検体分析装置（１００）から離れた位置からでも検体分析装置（１００）の状態を報知装置（３００）に光によって報知させ、かつ検体分析装置（１００）にユーザを誘導させることができる検体分析システム（１）を実現することができる。
【００３１】
本発明の別の態様に係る検体分析システム（１）では、照射部（３３０）は、光を上方へ照射するための光学系（３１５）を有する。
【００３２】
前記の構成によれば、報知装置（３００）は光学系（３１５）が上方へ照射した光によって検体分析装置（１００）の状態を報知することができる。これにより、上方へ照射した光を他の方向に出力された光よりも明るくすることができるので、より確実に報知を行うことができる。
【００３３】
本発明の別の態様に係る検体分析システム（１）では、報知装置（３００）は、光学系（３１５）を収容する筐体（３０３）を含み、筐体（３０３）は、光を上方へ照射するための照射窓（３０１）を上面に有する。
【００３４】
前記の構成によれば、報知装置（３００）は筐体の上面に設けられた照射窓（３０１）から光を上方へ照射することができる。
【００３５】
本発明の別の態様に係る検体分析システム（１）では、筐体（３０３）は、照射窓（３０１）から照射される光の色を変更するカラーフィルタ（３１０）を交換可能に保持する。
【００３６】
前記の構成によれば、ユーザは報知装置（３００）が上方へ照射する光の色を交換可能なカラーフィルタ（３１０）によって選択することができる。これにより、例えば検体分析装置（１００）の重要度に応じて異なる色のカラーフィルタ（３１０）を選択し、天井を確認したときに重要度の高い色の光を照射している報知装置（３００）に対応する検体分析装置（１００）をユーザに優先的に確認させることができる。
【００３７】
本発明の別の態様に係る検体分析システム（１）では、制御部（３２０）は、光の照射と非照射を切り替えるように照射部（３３０）を制御する。
【００３８】
前記の構成によれば、報知装置（３００）は上方に照射する光について、照射と非照射とを切り替えることができる。これにより、報知装置（３００）は例えば、緊急で対応が必要なエラーのみ上方へ光を照射するようにし、ユーザが光をより確認しやすくすることができる。
【００３９】
本発明の別の態様に係る検体分析システム（１）では、制御部（３２０）は、検体分析装置（１００）が異常状態の場合、光を照射させるように照射部（３３０）を制御する。
【００４０】
前記の構成によれば、報知装置（３００）は検体分析装置（１００）が異常状態であった場合に上方へ光を照射することができる。これにより、検体分析装置（１００）の異常状態を確実に報知することができる。
【００４１】
本発明の別の態様に係る検体分析システム（１）では、検体分析装置（１００）は、検体の分析に使用する試薬の残量を検知するセンサ（１１５）を含み、異常状態は、試薬が所定の残量以下になったことをセンサ（１１５）によって検知した場合である。
【００４２】
前記の構成によれば、検体分析装置（１００）においてセンサ（１１５）が検知した試薬の残量が所定の残量以下となった場合に報知装置（３００）は上方へ光を照射することができる。これにより、例えばユーザは天井を照らし出す光に基づいて、試薬の残量が少なくなっている検体分析装置（３００）の近傍まで移動し、試薬の補充等を行うことができる。
【００４３】
本発明の別の態様に係る検体分析システム（１）では、報知装置（３００）は、筐体（３０３）の側面に設けられた発光部（３４０）を含み、制御部（３２０）は、検体分析装置の状態に応じて、光の発光状態を切り替えるように発光部（３３０）を制御する。
【００４４】
前記の構成によれば、検体分析装置（１００）の状態に応じて側面の発光部（３４０）を発光させることができる。これにより、例えばユーザは上方への光の照射および側方における発光の有無を確認するだけで、検体分析装置（１００）が正常に動作しているか否かを把握することができる。
【００４５】
本発明の別の態様に係る検体分析システム（１）では、制御部（３２０）は、検体分析装置（１００）が正常状態の場合、光を照射させないように照射部（３３０）を制御し、光を発光させるように発光部（３４０）を制御する。
【００４６】
前記の構成によれば、状態報知方法によって、報知装置（３００）は、検体分析装置（１００）の正常状態である場合、上方へ向けた光を非照射とするとともに、側方から光を発光することができる。
【００４７】
本発明の別の態様に係る検体分析システム（１）では、正常状態は、検体分析装置（１００）が正常に動作している状態である。
【００４８】
前記の構成によれば、ユーザは上方への光の照射および側方における発光の有無を確認するだけで、検体分析装置（１００）が正常に動作しているか否かを把握することができる。
【００４９】
本発明の別の態様に係る検体分析システム（１）では、制御部（３２０）は、光の発光色を変更するように発光部（３４０）を制御する。
【００５０】
前記の構成によれば、報知装置（３００）は側方から出力する光の色を変更することができる。これにより、例えば検体分析装置（１００）の状態等に応じて側方からの発光色を異ならせることができる。
【００５１】
本発明の別の態様に係る検体分析システム（１）では、検体分析装置（１００）の状態に応じて、制御信号を生成する情報処理装置（２００）をさらに備え、制御部（３２０）は、情報処理装置（２００）が生成した制御信号を受信し、制御信号に基づいて、照射部（３３０）および発光部（３４０）を制御する。
【００５２】
前記の構成によれば、報知装置（３００）は情報処理装置（２００）が生成した制御信号に基づいて照射部（３３０）および発光部（３４０）を制御することができる。
【００５３】
本発明の別の態様に係る検体分析システム（１）では、報知装置（３００）は、検体分析装置（１００）と分離して設置可能である。
【００５４】
前記の構成によれば、報知装置（３００）は検体分析装置（１００）から離して設置することができるので、例えば検体分析装置（１００）が別の機器等によって隠れた位置にある場合であっても天井のうち、ユーザが視認しやすい位置を照らし出すことができる。
【発明の効果】
【００５５】
本発明によれば、検体分析装置から離れた位置からでも検体分析装置の状態を光によって報知し、かつ検体分析装置にユーザを誘導できる検体分析装置の状態報知方法および検体分析システムを実現することができる。
【図面の簡単な説明】
【００５６】
【図１】本発明の実施形態に係る検体分析システムの概要を示す斜視図である。
【図２】検体分析システムの構成を示す図である。
【図３】検体分析システムにおける報知装置の外観を示す投影図である。
【図４】報知装置のハードウェア構成を示す分解図、および制御部の上面図である。
【図５】報知装置の照射部および発光部の断面図である。
【図６】検体分析システムにおいて検体分析装置が検出可能なエラーの一覧を示すエラーリストの一部である。
【図７】検体分析システムにおいて情報処理装置が参照する、発光パターンと制御信号との対応を示す表の一例である。
【図８】検体分析システムにおいて、（ａ）情報処理装置が実行する処理、（ｂ）検体分析装置が実行する処理、および（ｃ）報知装置が実行する処理、の一例を示すフローチャートである。
【図９】検体分析システムによって、ユーザが離れた位置から検体分析装置の異常を把握する概要を示す模式図である。
【図１０】従来技術における問題点の概要を示す模式図である。
【発明を実施するための形態】
【００５７】
（検体分析システムの概要）
まず、図１を参照して、本発明の実施形態に係る検体分析システム１の概要について説明する。図１は、本実施形態に係る検体分析システム１の概要を示す斜視図である。
【００５８】
図１に示すように、検体分析システム１は、検体分析装置１００、情報処理装置２００、および報知装置３００を備えている。検体分析システム１は、ワゴンや机等の上に設置された検体分析装置１００が分析の対象である検体について分析を行い、分析した結果等を情報処理装置２００にて出力するシステムである。なお、検体分析装置１００は、分析の状況や装置の状態等に応じて、前面に配置されたインジケータ１１１を種々の発光パターンで発光させることができる。以下の説明において、検体分析システム１は種々の血液を検体として、その成分等を分析する検体分析装置１００を一例として説明するが、血液以外の気体等を検体として分析する装置であってもよい。
【００５９】
検体分析システム１は、検体分析装置１００の状態に応じて情報処理装置２００から送信された制御信号にしたがって、装置３００の上部から上方へ光を照射する動作、および側方から光を出力させる動作を実行することができる。検体分析装置１００の状態には、検体分析装置１００が正常に動作していない状態である異常状態や、正常に動作している状態である正常状態が含まれる。図示の例では、報知装置３００は、ワゴンの上、かつ検体分析装置１００の上部に設置されており、検体分析システム１が天井を有する室内に設置されている場合、報知装置３００は検体分析装置１００の上部から上方へ照射した光によって天井の一定領域を照らし出すことで報知を行うことができる。
【００６０】
（検体分析システムの構成）
次に、図２を参照して、本発明の実施形態に係る検体分析システム１の構成について説明する。図２は、本実施形態に係る検体分析システム１の構成を示す図である。図示の例において、実線の矢印は情報の流れを示しており、点線の矢印は電力の流れを示す。なお、図２に示すように、複数の検体分析システム１が設けられ、個々の検体分析システム１は、複数の検体分析システム１を統括して制御するホストコントローラ２によって制御されている。ホストコントローラ２はディスプレイ２１を備え、個々の検体分析システム１の動作状況等について、ディスプレイ２１に出力している。
【００６１】
検体分析システム１は、検体分析装置１００、情報処理装置２００、および報知装置３００を備えており、検体分析装置１００は、２つの検体分析ユニット１１０を備えており、個々の検体分析ユニット１１０ごとに制御部１１３、インジケータ１１１、センサ１１５、および電源部１１９が設けられている。情報処理装置２００は、ディスプレイ２１０、制御部２２０、記憶部２３０、および通信部２４０を備えている。報知装置３００には、制御部３２０が設けられている。本実施形態では、検体分析装置１００と報知装置３００が別の装置である場合について例示しているが、例えば検体分析装置１００が報知装置３００を備える構成であってもよく、報知装置３００が情報処理装置２００と直接通信可能であってもよい。
【００６２】
検体分析装置１００は、外部電源４００から供給された電力で動作する２つの検体分析ユニット１１０を備えている。検体分析装置１００は、２つの検体分析ユニット１１０による検体の分析結果や、検体分析装置１００が検出した個々の検体分析ユニット１１０を含めた各部の状態を通知する通知情報を情報処理装置２００に送信している。なお、図２において、検体分析装置１００は２つの検体分析ユニット１１０を備える構成であるが、検体分析装置１００が１つまたは３つ以上の検体分析ユニット１１０を備える構成であってもよいし、２つの検体分析ユニット１１０は互いに異なるユニットであってもよい。検体分析装置１００と情報処理装置２００との間の通信は、例えばＬＡＮ（Local Area Network）ケーブルを用いた有線通信によって行われており、無線ＬＡＮによる無線通信によって行われてもよい。
【００６３】
検体分析装置１００は、情報処理装置２００から受信した制御信号について、報知装置３００に送信している。ここで、制御信号は、報知装置３００の上方へ光を照射する動作、および側方から光を発光させる動作を制御するための信号であり、検体分析装置１００から情報処理装置２００へ送信した通知情報に基づいて情報処理装置２００が生成したものである。
【００６４】
検体分析ユニット１１０は、検体に対する分析を行う。例えば、検体分析ユニット１１０は、検体である血液に対して所定のレーザーを照射した場合に得られた蛍光や散乱光に基づいて、血液中の各種成分の分類やカウント等を行っている。検体分析ユニット１１０による分析結果は、別の検体分析ユニット１１０に送信されてもよく、情報処理装置２００に送信されてもよい。例えば、第１の検体分析ユニット１１０による分析結果を第２の検体分析ユニット１１０が引き継いで、さらなる分析を行ってもよい。
【００６５】
個々の検体分析ユニット１１０は、制御部１１３、インジケータ１１１、センサ１１５、および電源部１１９を備えており、制御部１１３は集積回路（ＩＣチップ）等によって形成されたＣＰＵ（Ｃｅｎｔｒａｌ Ｐｒｏｃｅｓｓｉｎｇ Ｕｎｉｔ）等の論理回路である。制御部１１３は、検体分析装置１００や別の検体分析ユニット１１０等から取得した情報に基づいてインジケータ１１１やセンサ１１５を動作させることができる。インジケータ１１１は、個々の検体分析ユニット１１０および２つの検体分析ユニット１１０を含む検体分析装置１００の動作状態等に応じた色やパターンで発光している。インジケータ１１１は、例えば複数の色の光を組み合わせて出力するＬＥＤ（Light Emitting Diode）ライトである。センサ１１５は、検体分析ユニット１１０の状態、すなわち検体分析ユニット１１０を備える検体分析ユニットの状態を検知するセンサであり、例えば環境温度を検知する温度センサや検体の分析に使用する試薬の残量を重量によって検知する重量センサである。電源部１１９は外部電源４００から取得した電力を制御部１１３に供給する、外部電源４００と接続可能なコネクタを備えた電源回路である。
【００６６】
情報処理装置２００は、検体分析装置１００から各種情報を受信し、受信した情報を処理することができる。情報処理装置２００は、例えば、コンピュータ（Ｃｏｍｐｕｔｅｒ）である。ディスプレイ２１０は、情報処理装置２００が検体分析装置１００から受信した情報や、情報に対する制御部２２０の処理結果等を、音や映像等によって出力することができる。ディスプレイ２１０は、例えば、液晶ディスプレイである。
【００６７】
制御部２２０は、情報処理装置２００の各部を統括して制御する、例えば、集積回路（ＩＣチップ）等によって形成されたＣＰＵ等の論理回路である。制御部２２０は、検体分析装置１００から通信部２４０を用いて情報処理装置２００が受信した情報について、記憶部２３０に記憶されているプログラムを実行することによって処理を行っている。そして、情報処理装置２００が受信した情報や処理の結果について、制御部２２０はディスプレイ２１０に出力させている。
【００６８】
制御部２２０は、検体分析装置１００から情報処理装置２００が通信部２４０を用いて受信した情報が検体分析装置１００におけるエラーの発生等を通知する通知情報であった場合、記憶部２３０に記憶されている情報を参照して、通知情報の内容に対応する、報知装置３００の発光パターンを決定することができる。そして、決定した発光パターンにしたがって報知装置３００を発光させるための制御信号を生成し、通信部２４０から検体分析装置１００を介して報知装置３００へ送信している。
【００６９】
記憶部２３０は、情報処理装置２００にて扱う各種情報を記憶している。記憶部２３０は、例えば、制御部２２０にて実行可能なプログラムを記憶した、コンピュータで読み取り可能な記録媒体である。記憶部２３０は、制御部２２０によって参照される情報を記憶してもよく、例えば、検体分析装置１００から情報処理装置２００に送信された通知情報の内容と、報知装置３００の発光パターンとを組み合わせた表を記憶してもよい。
【００７０】
報知装置３００は、情報処理装置２００から検体分析装置１００を介して受信した制御信号にしたがって、検体分析装置１００の上部から上方へ光を照射する動作、および側方から光を発光させる動作を実行する。すなわち、報知装置３００の制御部３２０は、制御信号にしたがって上方への光の照射および側方からの発光のそれぞれを制御することができる。制御部３２０は、例えば制御に必要なプログラムが書き込まれたＰＩＣ（Peripheral Interface Controller）である。図２に示すように、報知装置３００は、例えば、検体分析ユニット１１０から電力の供給を受けて動作する構成であり、例えば、検体分析ユニット１１０とＵＳＢ（Universal Serial Bus）ケーブル等のケーブルによって接続されることにより、制御信号と電力とを１本のケーブルで受信する構成である。報知装置３００は、検体分析装置１００の上方へ照射した光等によって、検体分析装置１００の状態を報知する。
【００７１】
報知装置３００は、上方へ光を照射するための光源と、側方から光を発光させるための光源とが別の構成である。個々の光源は、例えば、ＬＥＤライトであり、上方へ照射する光と側方から発光させる光とが別の色となるよう、光源ごとに異なる色の光を出力している。また、個々の光源は、検体分析ユニット１１０が備えるインジケータ１１１と同様の色で光を出力してもよいし、互いに異なる色の光を出力してもよい。報知装置３００は、上方へ照射した光が天井の一定領域を照らし出すよう、光を集光するレンズを内蔵している。なお、報知装置３００は、上方へ照射した光が天井を照らし出すように配置されればよく、その配置場所は限定されない。例えば、報知装置３００は、ケーブルの届く範囲で検体分析装置１００から分離して設置可能である。
【００７２】
（報知装置の外観）
図３を用いて、本発明の実施形態に係る報知装置３００の外観を説明する。図３は、検体分析システム１における報知装置３００の外観を示す投影図である。
【００７３】
図示の例において、報知装置３００は、筐体３０３に収容された円柱状の外観を備えており、筐体下部から１本のケーブル３２２が伸びている構成である。報知装置３００は、筐体３０３の上面の中央部分に、光源からの光を上方へ照射するための照射窓３０１を備えている。
【００７４】
報知装置３００の筐体は、上半分、下半分、および底面がそれぞれ別部材となっており、筐体の上半分を構成する第１外装３０２は、半透明の材料で構成されている。そのため、報知装置３００は、光源から出力された光を散乱させることにより、第１外装３０２の内側面を照らし出すことができる。
【００７５】
第２外装３２１は、報知装置３００の筐体の下半分を構成する。第２外装３２１は、制御部３２０を収容可能、かつケーブル３２２が側面を貫通可能なように形成されている。また、第２外装３２１は第１外装３０２を固定するフック構造等の構成を備えている。
【００７６】
ケーブル３２２は、一方の端部が報知装置３００の制御部３２０に接続されており、他端が検体分析装置１００と接続可能なコネクタを備えたケーブルである。ケーブル３２２は、コネクタによって接続された検体分析装置１００から受信した電力および制御信号を制御部３２０に供給することができる。
【００７７】
（報知装置の内部構成）
図４を用いて、本発明の実施形態に係る報知装置３００の内部構成を説明する。図４は、報知装置３００のハードウェア構成を示す分解図、および制御部３２０の上面図である。
【００７８】
図４の（ａ）に、報知装置３００の分解図を示す。なお、図では上方への光の照射および側方からの光の発光に関する構成のみ例示しており、他の構成をさらに備えてもよく、一部の構成が別の部材によって代替されてもよい。報知装置３００は、上面側から底面側に向かう順に、第１外装３０２、カラーフィルタ３１０、天面レンズ３１１、天面ＬＥＤ３１５、リフレクタ３１９、および制御部３２０を備えている。また、照射部３３０は、第１外装３０２、カラーフィルタ３１０、天面レンズ３１１、天面ＬＥＤ３１５、およびリフレクタ３１９を備える。照射部３３０は、報知装置３００の筐体の上方へ光を照射するための構成である。また、上述した照射窓３０１は、第１外装３０２に形成されるので、照射窓３０１も照射部３３０に含まれる。同様に、発光部３４０は、リフレクタ３１９および制御部３２０を備える。発光部３４０は、報知装置３００の筺体の側面に設けられ、側方から光を出力させるための構成である。リフレクタ３１９は、照射部３３０において、天面ＬＥＤ３１５からの光を上方に導き、かつ発光部３４０において、側面ＬＥＤ３２４からの光を側方に反射させる。
【００７９】
カラーフィルタ３１０は、第１外装３０２の照射窓３０１を内側から覆うように配置され、天面ＬＥＤ３１５が出力した、照射窓３０１から上方に照射する光の色を限定するカラーフィルタである。カラーフィルタ３１０の色に制限はなく、ユーザは、例えば、赤、ピンク、青、緑、黄、透明といった様々な色のカラーフィルタ３１０を、必要に応じて交換することができる。カラーフィルタ３１０は照射窓３０１の内部に交換可能に保持されており、ユーザは上方へ照射する光の色を任意に変更することができる。
【００８０】
天面レンズ３１１は、天面ＬＥＤ３１５が出力した光を集光する凸レンズである。天面レンズ３１１は、照射窓３０１から上方に出力された光が平行光となるように集光する。
【００８１】
天面ＬＥＤ３１５は、制御部３２０から受信した電力によって発光し、光を報知装置３００の上方へ照射するための光学系として機能する。報知装置３００の上方に向けて光を照射することができる光源であれば、天面ＬＥＤ３１５は、例えば、ＬＥＤライトであり、レーザー等の他の光源であってもよい。なお、天面ＬＥＤがレーザー光源である場合、天面レンズ３１１は省略してもよい。
【００８２】
制御部３２０は、ケーブル３２２を通して外部から受信した電力によって動作し、同じくケーブル３２２を通して外部から受信した制御信号にしたがって各部を動作させることができる。図４において、制御部３２０は内部基板と内部基板の上に配置されたＰＩＣの両方を含む。制御部３２０は、検体分析装置１００の状態に応じて、情報処理装置２００から送信された制御信号にしたがって、照射部３３０の光の照射状態を制御する。
【００８３】
また、制御部３２０は、天面ＬＥＤ３１５に供給する電力の有無を制御することにより、照射部３３０における光の照射と非照射を切り替えることができる。制御部３２０は、例えば、検体分析装置１００が異常状態の場合、情報処理装置２００から送信された制御信号を検体分析装置１００の制御部１１３を介して受信し、天面ＬＥＤ３１５に電力を供給することで照射部３３０に光を照射させる。一方、検体分析装置１００が正常状態の場合、すなわち検体分析ユニット１１０のセンサ１１５が検体分析装置１００の異常状態を検知しなかった場合、情報処理装置２００から送信された制御信号を受信し、天面ＬＥＤ３１５に電力を供給しないことで天面ＬＥＤ３１５が光を非照射とするよう制御する。
【００８４】
図４の（ｂ）に制御部３２０の上面図を示す。制御部３２０は、上面の周縁部に沿って４つの側面ＬＥＤ３２４を備えており、その内側にディップスイッチ３２５を備えている。
【００８５】
制御部３２０の内部基板上には、上面側の周縁部に沿って４つの側面ＬＥＤ３２４が設けられており、その内側にはディップスイッチ３２５が設けられている。そして、制御部３２０は、検体分析装置１００の状態に応じて、情報処理装置２００から送信された制御信号を検体分析装置１００の制御部１１３を介して受信し、側面ＬＥＤ３２４を発光させる。
【００８６】
側面ＬＥＤ３２４は、報知装置３００が第１外装３０２の側方から光を出力させるための光を生成および出力する光源である。側面ＬＥＤ３２４は、制御信号に基づいた制御部３２０の制御にしたがって出力する光の色が変更可能な光源であり、複数の色の光源の組み合わせである。ディップスイッチ３２５は、側面ＬＥＤ３２４が特定の制御信号に応じて、出力する光の色を切り替えることができる切替スイッチである。すなわち、報知装置３００は、ディップスイッチ３２５を切り替えることによって、第１外装３０２の側面から出力する光の色を変更している。
【００８７】
（報知装置の動作例）
図５を参照して、報知装置３００が上方に光を出射し、かつ側方から光を発光させる動作を説明する。図５は、報知装置３００の照射部３３０および発光部３４０の断面図である。
【００８８】
図示の例において、天面ＬＥＤ３１５は筒状に形成されたリフレクタ３１９の内側に配置されており、側面ＬＥＤ３２４はリフレクタ３１９の外側に配置されている。天面ＬＥＤ３１５が出力した光は、リフレクタ３１９の内側面で反射した後、または直接に天面レンズ３１１に入射する。天面レンズ３１１に入射した光は、境界面から上方へ照射され、カラーフィルタ３１０によって発光色が制限された後、照射窓３０１から出射される。このとき、天面レンズ３１１の作用によって、上方へ照射される光は拡散が抑制された、ほぼ平行な光線となる。
【００８９】
一方、側面ＬＥＤ３２４が出力した光は、リフレクタ３１９の外側面で散乱した後、または直接に第１外装３０２に入射し、第１外装３０２の内側面を照らし出す。このとき、側面ＬＥＤ３２４が出力した光のうち、上方へ向かった光はリフレクタ３１９で反射されるため、天面レンズ３１１に入射することはない。リフレクタの作用によって、側面ＬＥＤ３２４が出力した光は第１外装３０２の内側面全体を照らし出すことができる。制御部３２０は、天面ＬＥＤ３１５が光を非照射とするよう制御するとともに、側面ＬＥＤ３２４に電力を供給することで報知装置３００の側方から光を発光させてもよい。
【００９０】
（エラーと発光パターンの組合せ例）
図６を参照して、検体分析装置１００において発生し得るエラー、およびエラーに応じて報知装置３００に発光させる発光パターンの組み合わせの具体例について説明する。図６は、検体分析システム１において、検体分析装置１００が検出可能なエラーの一覧を示すエラーリスト２３１の一部である。すなわち、検体分析装置１００は、図示の例を含めた種々のエラーを検出することが可能である。
【００９１】
図示の例において、「Ｎｏ」は、エラーメッセージを一意に識別する識別子（ＩＤ）である。「エラーメッセージ」は、検体分析装置１００にて検知されたエラーの内容を通知するメッセージであり、例えば、情報処理装置２００のディスプレイ２１０から映像や音声等によって出力される。「本体ＬＥＤ」は、検体分析装置１００の検体分析ユニット１１０が備えるインジケータ１１１の状態を示している。「報知装置」の「側面」は、報知装置３００が側面から出力する光の色を示しており、「上方」は、報知装置３００の上面に設けられた照射窓３０１から照射される光の色を示している。「発光パターン」は、「報知装置」の「側面」および「上方」の値の組み合わせを報知装置３００の発光パターンとして設定したものである。
【００９２】
例えば、「Ｎｏ」が「１」であるレコードは、「エラーメッセージ」が「環境温度が高い」であることを示している。このエラーは、例えば、検体分析装置１００の周囲の環境温度が分析に大きな影響を与えるほど高いことを検体分析ユニット１１０のセンサ１１５が検出した場合に設定される。このとき、「本体ＬＥＤ」および「報知装置」の「側面」は、ともに「赤点灯」であり、「報知装置」の「上方」は「赤点滅」である。すなわち、検体分析装置１００の検体分析ユニット１１０が備えるインジケータ１１１は、赤色に点灯し、報知装置３００の側面からは赤色の光が出力される。そして、報知装置３００の上方からは、赤色の光が断続的に出力される。
【００９３】
「Ｎｏ」が「５」であるレコードは、「エラーメッセージ」が「スルホライザがなくなりました」であることを示している。このエラーは、例えば検体分析装置１００が検体として血液の分析を実行するときに、分析に使用する試薬である「スルホライザ」が所定の残量以下になったことをセンサ１１５が検知した場合に設定される。このとき、「本体ＬＥＤ」は「橙点灯」であり、「報知装置」の「側面」は「緑点灯」であり、「上方」は「消灯（選択可）」である。ここで、「消灯（選択可）」は、照射部３３０における光の照射と非照射を選択的に変更できることを示している。すなわち、検体分析装置１００の検体分析ユニット１１０が備えるインジケータ１１１は橙色に点灯し、報知装置３００の側面からは緑色の光が出力される。そして、報知装置３００の上部からは、ユーザの選択に基づいて光の照射が制御される。すなわち、光の発光の有無や発光色について、制御部３２０はユーザの選択に基づいて制御することができる。
【００９４】
このように、検体分析装置１００において検出されたエラーに応じて、報知装置３００の発光パターンがユーザによって予め設定される。エラーリスト２３１は、例えば情報処理装置２００の記憶部２３０に格納され、情報処理装置２００を操作することによって、「報知装置」の「上方」の「消灯（選択可）」であるレコードの値を変更可能である。
【００９５】
（制御信号の具体例）
図７を参照して、情報処理装置２００から報知装置３００に対して送信される、報知装置３００の発光パターンを制御する制御信号について説明する。図７は、検体分析システム１において情報処理装置２００が参照する、検体分析装置１００において発生し得る各状態と、報知装置３００に対する制御内容を示す制御信号とを対応付けた制御情報２３２の一例である。
【００９６】
図示の例において、「発光パターン」は、報知装置３００の天面ＬＥＤ３１５および側面ＬＥＤ３２４の発光動作の組み合わせを識別する識別子である。「制御信号」は、情報処理装置２００から送信される制御信号の具体的な値を示しており、「１ｂｉｔ目」は制御信号の１ｂｉｔ目のバイナリ値であり、「２ｂｉｔ目」は制御信号の２ｂｉｔ目のバイナリ値を示している。すなわち、図示の例において、制御信号は、２ｂｉｔの信号として示されている。「報知装置」の「上方」は、報知装置３００の天面ＬＥＤ３１５の動作状態を示しており、「側面」は、側面ＬＥＤ３２４の動作状態を示している。「備考」は、「発光パターン」で指定された制御信号が、検体分析装置１００のどのような場合に報知装置３００に対して送信されるかを示している。なお、「発光パターン」は、図６の同名の項目に対応する。
【００９７】
例えば、「発光パターン」が「１」である場合、情報処理装置２００は、報知装置３００に対して、１ｂｉｔ目および２ｂｉｔ目がともに「０」である、「００」の値を有する制御信号を送信する。報知装置３００は、制御信号として「００」を受信すると、天面ＬＥＤ３１５および側面ＬＥＤ３２４をともに消灯させる。
【００９８】
「発光パターン」が「２」である場合、情報処理装置２００は、「０１」の値を有する制御信号を送信する。報知装置３００は、制御信号として「０１」を受信すると、天面ＬＥＤ３１５については予め選択された内容に基づいて光の出力を制御させるとともに、側面ＬＥＤ３２４には緑の光を出力させる。
【００９９】
このようにして、検体分析システム１において報知装置３００は、情報処理装置２００から送信された制御信号に基づいて発光を制御することができる。
【０１００】
（処理の流れ）
図８を参照して、本発明の実施形態に係る検体分析システム１における動作の流れを説明する。図８は、検体分析システム１において、（ａ）情報処理装置２００が実行する処理、（ｂ）検体分析装置１００が実行する処理、および（ｃ）報知装置３００が実行する処理、の一例を示すフローチャートである。
【０１０１】
まず、検体分析装置１００において、動作中にエラーが検出された等の理由によって、検体分析装置１００の状態（ステータス）が更新された場合（Ｓ１１でＹＥＳ）、検体分析装置１００は、エラーリスト２３１等を用いて更新内容に対応する発光パターンを指定した通知信号を生成し、情報処理装置２００に対して送信する（Ｓ１２）。
【０１０２】
次に、情報処理装置２００は、Ｓ１２の処理によって検体分析装置１００から送信された通知信号を受信すると（Ｓ１でＹＥＳ）、制御情報２３２等を用いて通知内容に応じた制御信号を決定する（Ｓ２）。その後、情報処理装置２００は、報知装置３００を制御するための制御信号を検体分析装置１００に対して送信する（Ｓ３）。以上で情報処理装置２００の動作は終了する。
【０１０３】
検体分析装置１００は、Ｓ３の処理によって情報処理装置２００から送信された制御信号を受信すると（Ｓ１３でＹＥＳ）、受信した制御信号を報知装置３００に転送する（Ｓ１４）。以上で検体分析装置１００の動作は終了する。
【０１０４】
報知装置３００は、Ｓ１４の処理によって検体分析装置１００から転送された制御信号を受信すると（Ｓ２１でＹＥＳ）、受信した制御信号に基づいて天面ＬＥＤ３１５および側面ＬＥＤ３２４を用いた発光動作を行う（Ｓ２２）。以上で報知装置３００の動作は終了する。
【０１０５】
このようにして、本発明の実施形態に係る検体分析システム１では、検体分析装置１００のステータスに応じて報知装置３００の発光動作を制御することができる。
【０１０６】
（検体分析システムの利点）
図９を参照して、本発明の実施形態に係る検体分析システム１の利点について説明する。図９は、検体分析システム１によって、ユーザが離れた位置から検体分析装置１００の異常を把握する概要を示す模式図である。
【０１０７】
図示の例では、複数の検体分析装置１００が対応する報知装置３００とともに天井を有する屋内に設置されており、ユーザは、個々の検体分析装置１００から離れた位置にいる。本発明に係る検体分析システム１では、検体分析装置１００のステータスに応じて報知装置３００の発光動作が制御される。例えば、報知装置３００は、検体分析装置１００が正常に動作している場合は上方への光の照射は行わず、側方からの発光のみを行う。そして、検体分析装置１００に対応が必要なエラーが発生した場合は、上方に光を照射し、天井の一定領域を照らし出す。これにより、ユーザは、天井を見渡したときに光が当たっている位置の下方に設置されている報知装置３００に接続されている検体分析装置１００において、対応が必要なエラーが発生していることを容易に把握することができる。そして、光に向かって移動することによって、対応が必要なエラーが発生している検体分析装置１００の近傍に移動することができる。
【符号の説明】
【０１０８】
１  検体分析システム
１００  検体分析装置
１１０  検体分析ユニット
１１１  インジケータ
１１５  センサ
２００  情報処理装置
２１０  ディスプレイ
２２０  制御部
２３０  記憶部
２３２  制御情報
３００  報知装置
３０１  照射窓
３０３  筐体
３１０  カラーフィルタ
３１５  天面ＬＥＤ（光学系）
３２０  制御部
３３０  照射部
３４０  発光部
２  ホストコントローラ
２１  ディスプレイ
【図１】
2020094844.tif 000003
【図２】
2020094844.tif 000004
【図３】
2020094844.tif 000005
【図４】
2020094844.tif 000006
【図５】
2020094844.tif 000007
【図６】
2020094844.tif 000008
【図７】
2020094844.tif 000009
【図８】
2020094844.tif 000010
【図９】
2020094844.tif 000011
【図１０】
2020094844.tif 000012